(57)【要約】      （修正有）【課題】トラスに代わり複数の斜片と複数のレーキの取付固着で補強し、かつ掻き寄せアーム体を複数連結可能とした円形汚泥槽における掻寄レーキアーム装置を提供する。【解決手段】円形汚泥槽において平面四角形状を備え、かつ間隔を保持して傾斜して設けられる複数の斜片を有する左右一対の掻き寄せアーム体３と、この掻き寄せアーム体３の一対の長尺なアームに対して前記斜片と異なる方向にボルト締めして取付けられる複数の傾斜するレーキ１８と、複数のピケットフェンス２４と、前記掻き寄せアーム体３の先端と、中央回転軸２との間と装架され、かつ中央回転軸２との終端部に介在されるターンバックルを介して連結される吊り部材１２と、この吊り部材１２と前記ピケットフェンス２４とには孔を設けて、両者の孔を一致させてボルト締めによる取付手段と、前記掻き寄せアーム体３の基端部両側に中央回転軸２を枢支する装着手段とより成る。【選択図】図１
0003146266.tif 000002
【実用新案登録請求の範囲】
【請求項１】
廃水処理などの汚泥や汚水を導入し、貯溜する円形汚泥槽の中心に配設される中央回転軸の下部に、前記円形汚泥槽の底面上を回転する掻き寄せアーム体を配設し、この掻き寄せアーム体に並設した多数のピケットフェンスにより貯溜液を攪拌すると共に、上澄み液を槽上部外周に設けた排出口より排液し、前記掻き寄せアーム体の下部に並設した多数のレーキにより、外周側より順次と内周側に貯溜液を掻き寄せて中央の集泥ピット内に持ち込み、かつ外部へ排出するようにした円形汚泥槽において、平面四角形状を備える一対の長尺なアームと一対の短尺なアームとより成りかつ一対の長尺なアーム間に間隔を保持して傾斜して設けられる複数の斜片とより成る左右一対の掻き寄せアーム体と、この掻き寄せアーム体の一対の長尺なアームに対して前記斜片と異なる方向にボルト締めして取付けられる複数の傾斜するレーキと、このレーキの中央箇所にヒンジで基端を枢支される複数のピケットフェンスと、前記掻き寄せアーム体の先端と、中央回転軸との間と装架され、かつ中央回転軸との終端部に介在されるターンバックルを介して連結される吊り部材と、この吊り部材と前記ピケットフェンスとには孔を設けて、吊り部材とピケットフェンスの孔を一致させてボルト締めによる取付手段と、前記掻き寄せアーム体の基端部両側に中央回転軸を枢支する装着手段とより成り、中央回転軸に対し、掻き寄せアーム体，レーキ，吊り部材，ピケットフェンスを組立てて成ることを特徴とする円形汚泥槽における掻寄レーキアーム装置。
【請求項２】
掻き寄せアーム体は、二以上設け、隣り合う短尺なアーム同士を連結して中央回転軸を中心として外方に延長されて成ることを特徴とする請求項１記載の円形汚泥槽における掻寄レーキアーム装置。
【考案の詳細な説明】
【技術分野】
【０００１】
本考案は、廃水処理など汚水や汚泥を処理する円形汚泥槽における掻寄レーキアーム装置に関する。
【背景技術】
【０００２】
一般に、廃水処理から集められる汚水は各種構成の円形汚泥槽内に導入され、汚泥が槽内に沈降して槽底部に滞留するようになる。この沈降した汚泥は、周回するレーキにより外周側から順次と内周側へと掻き寄せられて、中央の集泥ピット内に持ち込むことで槽外へ排出するようにしてある（例えば、特許文献１参照）。
【０００３】
また、特許文献１に示されるレーキは、単純な一本で構成されているものから、立体トラスを用いた断面矩形状のアームを用いて強度を付加させた構造のものや、本出願人が先に開発した実願２００８−４９１０号のＸ状トラスを設けて平面状四角形の掻寄レーキアーム体を備えたものも知られている。
【特許文献１】特開２００５−６６５８２号公報
【考案の開示】
【考案が解決しようとする課題】
【０００４】
ところで、特許文献１で知られるレーキは、単純な一本であるため強度がなく、小型小容積の円形汚泥槽しか利用できず、またトラス構造を備えた立体構造のものや平面構造のものでは強度を保持できるが、組立，製造にコストが掛かり、かつ簡単能率的な施工ができないという不都合があった。
【０００５】
本考案は、叙上の点に着目して成されたもので、極力製作コストの節減化を図ると共に従来のボックストラスに代わり、複数の斜片と複数のレーキの取付固着で補強し、かつ掻き寄せアーム体を複数連結可能として小径の円形汚泥槽から中径，大径の円形汚泥槽まで、円形汚泥槽の径の如何を問わず自由に組立設計できるようにした円形汚泥槽における掻寄レーキアーム装置を提供することを目的とする。
【課題を解決するための手段】
【０００６】
この考案は下記の構成を備えることにより上記課題を解決できるものである。
【０００７】
（１）廃水処理などの汚泥や汚水を導入し、貯溜する円形汚泥槽の中心に配設される中央回転軸の下部に、前記円形汚泥槽の底面上を回転する掻き寄せアーム体を配設し、この掻き寄せアーム体に並設した多数のピケットフェンスにより貯溜液を攪拌すると共に、上澄み液を槽上部外周に設けた排出口より排液し、前記掻き寄せアーム体の下部に並設した多数のレーキにより、外周側より順次と内周側に貯溜液を掻き寄せて中央の集泥ピット内に持ち込み、かつ外部へ排出するようにした円形汚泥槽において、平面四角形状を備える一対の長尺なアームと一対の短尺なアームとより成りかつ一対の長尺なアーム間に間隔を保持して傾斜して設けられる複数の斜片とより成る左右一対の掻き寄せアーム体と、この掻き寄せアーム体の一対の長尺なアームに対して前記斜片と異なる方向にボルト締めして取付けられる複数の傾斜するレーキと、このレーキの中央箇所にヒンジで基端を枢支される複数のピケットフェンスと、前記掻き寄せアーム体の先端と、中央回転軸との間と装架され、かつ中央回転軸との終端部に介在されるターンバックルを介して連結される吊り部材と、この吊り部材と前記ピケットフェンスとには孔を設けて、吊り部材とピケットフェンスの孔を一致させてボルト締めによる取付手段と、前記掻き寄せアーム体の基端部両側に中央回転軸を枢支する装着手段とより成り、中央回転軸に対し、掻き寄せアーム体，レーキ，吊り部材，ピケットフェンスを組立てて成ることを特徴とする円形汚泥槽における掻寄レーキアーム装置。
【０００８】
（２）掻き寄せアーム体は、二以上設け、隣り合う短尺なアーム同士を連結して中央回転軸を中心として外方に延長されて成ることを特徴とする前記（１）記載の円形汚泥槽における掻寄レーキアーム装置。
【考案の効果】
【０００９】
本考案によれば、掻き寄せアーム体は単純な構成の四角形、即ち一対の長尺なアームと一対の短尺なアームとで構成され、トラス構成を備えていないが、複数の斜片とこの斜片と傾斜方向を異にした多数の傾斜状にボルト締めて取付けられるレーキによりトラス効果を補強し、全体の強度を逓増できると共に、円形汚泥槽の大きさが５ｍ程の小径のものは単一の掻き寄せアーム体を用いて構成できるが、１０ｍ〜１５ｍの大径のものにあっては、同一長さの掻き寄せアーム体を二段、三段と各短尺な掻き寄せアーム体同士を連結して組立てることができる。
【００１０】
しかも、組立時には、ボルト締めを主体にして各部材を効率よく連結できるので、極力製作コストの節減化を図ることができると共に、組立施工を簡単能率よく行わせることができる。
【考案を実施するための最良の形態】
【００１１】
以下に本考案を実施するための最良の形態を、実施例により詳しく説明する。
【実施例】
【００１２】
図面において、１は有底円筒状の公知の円形汚泥槽、２は前記槽１の中心位置に配設される中央回転軸を示し、公知の駆動手段により一方向に回転駆動される。３は前記軸２を中心に配設された左右一対の掻き寄せアーム体を示し、一対の長尺なアーム３ａ，３ａと、一対の短尺なアーム３ｂ，３ｂとを有し、平面四角形状の枠として形成できる。４は、上記一対の長尺なアーム３ａ，３ａ間に一定間隔を保持して傾斜して設けられる斜片である。
【００１３】
そして、中央回転軸２の基部５に設けた底板６の左右に固着した脚杆７，７には前記掻き寄せアーム体３の内側の短尺のアーム３ｂ，３ｂに突設した一対の突片８，８を抱止する二又状の枢支板９，９を設け、この枢支板９，９内に前記突片８，８を挿通し、連通する孔内にボルトとナットにより所謂、捻子止めによる装着手段１０により中央回転軸２の基部の左右に一対の掻き寄せアーム体３を取付けることができる。
【００１４】
１１は中央回転軸２の下部上方に設けた左右一対の掛止片、１２は前記掻き寄せアーム体３の先端に枢支させた吊り部材で、基端にはターンバックル１３を介して前記掛止片１１と係止できる止片１４を設けて、ボルトとナットによる所謂、捻子止め１５で吊下げさせている。
【００１５】
そして、吊り部材１２の下端には係止孔を設け、掻き寄せアーム体３の先端の短尺なアーム３ｂの中央に突設した突片１６の係止孔と一致させてボルトとナットによる捻子止め１７で枢支連結させてある。
【００１６】
１８は、前記掻き寄せアーム体３の下部に前記斜片４と反対方向に傾斜して間隔を保持して複数吊下固着するレーキであって、図１（ａ）（ｂ）、図２、図３では左右の掻き寄せアーム体３に対して異なる数の場合を示しているが、図示したものは、単に数が多い場合と少ない場合の異なる例を非対称に同時に示しただけであり、実際には、左右一対の掻き寄せアーム体３には、同一の大きさと同一の数のレーキ１８を固設吊下するものであることは勿論である。
【００１７】
そして、レーキ１８は、図６（ａ），（ｂ）に示すように水平部１９と垂直部２０とを備え、垂直部２０にはブレード２１を介して、このブレード２１にゴム押え板２２を順次と、ボルト、ナットなどの捻子止め２３により、一体に固定すると共に水平部１９の中央位置にはピケットフェンス２４の基端を捻子止め２５できる孔を有する係止片２６を突設する。
【００１８】
また、レーキ１８には、中央個所即ち係止片２６を挟んで、水平部１９には２個の舌片２７，２７を溶接などを用いて突設し、これら舌片２７，２７と水平部１９には、取付孔２８，２９を穿ち、掻き寄せアーム体３の長尺なアーム３ａ，３ａに穿った孔と一致させて、ボルト、ナットによる捻子止め３０，３１により、複数のレーキ１８を、掻き寄せアーム体３の裏面に沿って規定された間隔を保持して傾斜して整然と固着することができる。
【００１９】
このレーキ１８が掻き寄せアーム体３に複数傾斜して固着されると、掻き寄せ体３に付設された傾斜方向の異なる複数の斜片４がトラス構成となり、掻き寄せ体３の回転作用を補強できる。
【００２０】
また、前記レーキ１８上に設けられるピケットフェンス２４の基端は、捻子止め３２により前述した通り、レーキ１８上の係止片２６の孔を介して起立させることができる。
【００２１】
そして、ピケットフェンス２４と前記吊り部材１２とは、交叉接触箇所にそれぞれ一致する取付孔を設けて、ボルト締めによる取付手段３３により確固に固定させることができる。
【００２２】
叙上の構成において、円形汚泥槽１に配設される中央回転軸２に対して、掻き寄せアーム体３、レーキ１８、吊り部材１２、ピケットフェンス２４を順次と組立て、ボルトとナットによる捻子止めで固定し、効率よく作業を行わせることができる。
【００２３】
なお図において、３４は中央回転軸２の下部に設けられる集泥ピットに相当するコーンスクレーパ、３５は引抜き汚泥管を示す。
【００２４】
以上は、本考案の一実施例を示すが、図７および図８に他の実施例を示す。
【００２５】
この実施例は、掻き寄せアーム体３を長手方向に接続して２個連結したもので、連結する手段方法は自由である。図９に結合構成の一例を示す。互いに連結される２個の掻き寄せアーム体３，３の当接端部に二又状の突片３６，３６と、この突片３６，３６間に挿し込まれる突片３７とをボルト，ナットによる捻子止め３８で確固に連結できる。
【００２６】
さらに図１０（ａ），（ｂ）に他の結合構成を示す。隣り合う短尺なアーム３ｂ，３ｂ側より、長尺なアーム３ａ，３ａを延長した突縁３ａ１，３ａ１を設け、互いに衝接させて両突縁３ａ１，３ａ１に跨る継手板３９を横架被着し、ボルトなどによるピン４０で確固に固着して連結させることもできる。
【００２７】
そして、延長した掻き寄せアーム体３には、同様にピケットフェンス２４，吊り部材１２，レーキ１８などはすべて複数設けるものである。
【００２８】
図７に示すように、中央回転軸２を中心に回転方向Ｒに回転させれば、これに対応して汚泥液はＰ方向に槽内を移動するものである。
【００２９】
さらに長尺にしたい時は、同様にさらに長手方向に掻き寄せアーム体３を延長すれば簡単に拡張できる。
【００３０】
なお、掻き寄せアーム体３、ピケットフェンス２４、レーキ１８、吊り部材１２などの構成部材は、板状，Ｌ字状金属またはパイプを用いた耐蝕性金属で製作できる。
【図面の簡単な説明】
【００３１】
【図１】本考案に係る円形汚泥槽における掻寄レーキアーム装置の概略を示すもので、（ａ）は側面図、（ｂ）は平面図
【図２】図１（ａ）の拡大平面図
【図３】図１（ｂ）の拡大側面図
【図４】中央回転軸の底板と掻き寄せアーム体との連結構成を示す要部の拡大平面図
【図５】中央回転軸と掻き寄せアーム体とレーキとピケットフェンスとの連結組立構成を示す要部の斜面図
【図６】（ａ）はレーキを掻き寄せアーム体に取付ける構成を示す側面図、（ｂ）はレーキの斜面図
【図７】掻き寄せアーム体を２個組み合わせた長尺大型機種に対応させた状態の本考案の他の実施例を示す平面図
【図８】図７の側面図
【図９】２個の掻き寄せアーム体の結合構成を示す要部の平面図
【図１０】さらに２個の掻き寄せアーム体の他の結合構成を示す部分図で、（ａ）は平面図、（ｂ）は側面図
【符号の説明】
【００３２】
１    円形汚泥槽
２    中央回転軸
３    掻き寄せアーム体
３ａ，３ｂ    アーム
３ａ１    突縁
４    斜片
５    基部
６    底板
７    脚杆
８    突片
９    枢支板
１０    装着手段
１１    掛止片
１２    吊り部材
１３    ターンバックル
１４    止片
１５    捻子止め
１６    突片
１７    捻子止め
１８    レーキ
１９    水平部
２０    垂直部
２１    ブレード
２２    ゴム押え板
２３    捻子止め
２４    ピケットフェンス
２５    捻子止め
２６    係止片
２７    舌片
２８，２９    取付孔
３０，３１，３２    捻子止め
３３    取付手段
３４    コーンスクレーパ
３５    引抜き汚泥管
３６，３７    突片
３８    捻子止め
３９    継手板
４０    ピン
【図１】
0003146266.tif 000003
【図２】
0003146266.tif 000004
【図３】
0003146266.tif 000005
【図４】
0003146266.tif 000006
【図５】
0003146266.tif 000007
【図６】
0003146266.tif 000008
【図７】
0003146266.tif 000009
【図８】
0003146266.tif 000010
【図９】
0003146266.tif 000011
【図１０】
0003146266.tif 000012